(57)【要約】【課題】有機排水処理において、接触ばっ気法における単位容積あたりのＢＯＤ処理能力を向上させる接触材及びその接触方法の改良による小型浄化槽を開発する。【解決手段】中空体を縦に複数個配列させた形状の接触材をばっ気槽に充填し、ばっ気槽底部に設けた複数個の散気孔41を有する散気管４の各散気孔41から空気を吐出させて有機性排水を処理するに際し、接触材の中空体を複数の中空部を有する合一中空ブロック体とし、該合一中空ブロック体に散気孔を有さない中空部を適所に設けて、ばっ気が行われるばっ気中空部53とばっ気が行われない非ばっ気中空部54を配置して接触材内部にばっ気流の上昇流部55と下降流部56を形成させて汚水の接触ばっ気処理をすることを特徴とする有機性排水の接触ばっ気処理方法である。【選択図】図４
2008043918.tif 000002
【特許請求の範囲】
【請求項１】
繊維の絡まった中空体を縦に複数個配列させた形状の接触材をばっ気槽に充填し、ばっ気槽底部に水平に設けた複数個の散気孔を有する散気管の各散気孔から空気を吐出させ、上記接触材の中空体の中空部に空気を取り込むように散気孔を配置させるようにして形成される接触ばっ気槽により有機性排水を処理するに際し、
接触材の中空体を複数の中空部を有する合一中空ブロック体とし、該合一中空ブロック体に散気孔を有さない中空部を適所に設けて、ばっ気が行われるばっ気中空部とばっ気が行われない非ばっ気中空部を配置して接触材内部にばっ気流の上昇流部と下降流部を形成させて汚水の接触ばっ気処理をすることを特徴とする有機性排水の接触ばっ気処理方法。
【請求項２】
繊維の絡まった中空体接触材はへちま状中空体として、吐出空気泡が該へちま状中空体内部で汚水と共に上昇接触するドラフトチューブである請求項１記載の有機排水の接触ばっ気処理方法。
【請求項３】
繊維の絡まったへちま状中空体を縦に複数個配列させた形状の接触材を充填したばっ気槽であって、該ばっ気槽底部に水平に設けた空気を吐出させる複数個の散気孔を有する散気管を設け、前記接触材の中空部が複数の中空部を有する合一中空ブロック体であり、該合一中空ブロック体に空気を取り込むように散気孔が配置され、散気孔を有さない中空部を適所に設けて、ばっ気が行われるばっ気中空部とばっ気が行われない非ばっ気中空部を配置して接触材内部にばっ気流の上向流部と下降流部が形成されてなる有機性排水の接触ばっ気処理装置。
【請求項４】
散気管に設けた空気を吐出させる複数個の散気孔は、格子配列、千鳥配列またはランダム配列であり、該散気管の各散気孔から吐出する空気をそれぞれ取り込む位置が、前記合一中空ブロック体の複数の中空部に合致させて配置して接触ばっ気槽を形成してなる請求項３記載の有機排水の接触ばっ気処理装置。
【請求項５】
各散気孔から吐出する空気をそれぞれ取り込む位置は、前記合一中空ブロック体の複数の中空部の任意の奇数番目又は偶数番目の各中空部の底面位置である請求項３又は４いずれか記載の有機排水の接触ばっ気処理装置。
【発明の詳細な説明】
【技術分野】
【０００１】
本発明は、水質浄化用接触ばっ気、特に、有機性排水の接触ばっ気処理方法及び装置に関するもので、人の生活に伴って排出される排水あるいは生産活動に伴って排出される有機性汚濁物質を含有する排水を浄化して河川や海域に排出するための有機性排水の浄化技術に関する。
【背景技術】
【０００２】
有機性排水を処理する技術として、最も一般的には、槽に送風機から空気を送り込んで微生物を増殖させて微生物汚泥（活性汚泥）を形成させるばっ気槽と、微生物によって浄化された水を活性汚泥から分離して上澄水として放流させる沈殿槽とを組み合わせる活性汚泥法があるが、近年ばっ気槽内にプラスチック製波板等の接触材を充填してその表面に微生物を固定し、ばっ気による回流水を接触材表面に接触させて排水中の有機物質を除去する接触ばっ気法が、特に小型の装置に多く採用されている。
【０００３】
また、プラスチック製波板の接触材の代わりに骨格多孔質濾材やハニカム濾材等が使われることもある。活性汚泥法の場合はばっ気槽内の微生物の数、すなわち活性汚泥の濃度が浄化能力に比例するため、ばっ気槽に流入する排水の有機物量に対応するためにばっ気槽内の活性汚泥の濃度を適切に管理する必要があるのに対し、接触ばっ気法の場合は接触材の表面に固着されるため、活性汚泥の濃度管理が容易であり、小規模施設に適しているためである。接触ばっ気槽内により多くの空気を送り込んで微生物を増殖させて微生物汚泥（活性汚泥）を形成させるために、本発明者らは、先に回流ばっ気方式のドラフトチューブ（通気通水性管体）にあたる部分円筒形の骨格網状接触材を用いることによって接触材の充填率を増やすことなく生物膜と排水の接触機会を飛躍的に増大させる方法を先に開発した（特願２００５−１０８９９５）。
【０００４】
接触ばっ気槽と沈殿槽を接続することで、屎尿、および台所排水・洗濯排水・洗面・浴室排水などの生活雑排水の浄化処理を可能とする合併処理化装置は特許文献１に記載され、また、特許文献２には、接触ばっ気槽第２室の処理負担を軽減するために、嫌気濾床槽の下流に接触ばっ気槽を設け、その接触ばっ気槽を流れの方向に第１室、第２室に分離して構成し、接触ばっ気槽内の被処理液を嫌気濾床槽に返送する嫌気処理用返送路を設け、接触ばっ気槽第２室から接触ばっ気槽第１室に被処理液を返送する好気処理用返送路を設けることの記載がある。
【０００５】
特許文献３には、接触ばっ気槽内の底面部に堆積される広範囲の汚泥を嫌気室に返送する構造を提供するために、接触ばっ気槽から嫌気槽に汚泥返送管を配して、接触ばっ気槽の底面に沿った吸込管を設けた構造のものが開示されている。先に提案した接触ばっ気槽に設けた回流ばっ気方式のドラフトチューブにあたる部分円筒形の骨格網状接触材は、接触材の充填率を増やすことなく生物膜と排水の接触機会を飛躍的に増大させる方法として有効であった。
【０００６】
【特許文献１】特開2001-276858公報（請求項１、[0007]、[0017]、要約）
【特許文献２】特開平6-63574号公報（請求項１、[0012]、要約）
【特許文献３】特開平6-328086号公報（特許請求の範囲、[0011]、図３）
【発明の開示】
【発明が解決しようとする課題】
【０００７】
接触ばっ気方式は直接接触材の下部から散気する全面ばっ気方式と、ばっ気部と接触材充填を分けてばっ気回流を接触材充填部に回流させて接触材表面に接触させるばっ気回流方式がある。いずれの方式にしても上記の特許文献にみられるプラスチック製波板やプラスチック製骨材あみ状板あるいは立体ハニカム状濾材などの接触材は表面を排水が接触して通過する速度を均一にすることが難しく、接触する速度が速い部分では微生物膜の厚みが一定以上には増殖せず、速度の遅い部分では微生物が肥厚する。従って、接触材として使用する波板の間隔が狭いと微生物の被膜のために閉塞が発生してばっ気槽の機能を発揮しなくなるものである。
【０００８】
特に、回流ばっ気方式を採用した場合、ばっ気の回流速度は一般的には10cm／sec程度以上にすることは難しく、また、ばっ気槽内に確保される接触材の表面積にも限界があるため、現在接触ばっ気槽１ｍ３あたりの有機物除去能力は、一般的にはＢＯＤに換算して１日0.2〜0.6kg程度となっており、これ以上の負荷を接触ばっ気槽に与えた場合は所定の水質が得られないし、時には接触材の閉塞が発生することになる。
【０００９】
そこで、接触ばっ気法が他の処理方式に比べて維持管理が容易であり、また安価で処理性能が安定している等多くの長所を持っている点を、先に本発明者らが提案した繊維の絡まった円筒中空体を縦に複数個配列させた形状の接触材を用い、更に回流ばっ気方式の改良によって、接触ばっ気法における単位容積あたりのＢＯＤ処理能力を向上させることを目的に検討を加えた。
【課題を解決するための手段】
【００１０】
本発明は、繊維の絡まった中空体を縦に複数個配列させた形状の接触材をばっ気槽に充填し、ばっ気槽底部に水平に設けた複数個の散気孔を有する散気管の各散気孔から空気を吐出させ、上記接触材の中空体の中空部に空気を取り込むように散気孔を配置させるようにして形成される接触ばっ気槽により有機性排水を処理するに際し、接触材の中空体が複数の中空部を有する合一中空ブロック体とし、該合一中空ブロック体に散気孔を有さない中空部を適所に設けて、ばっ気が行われるばっ気中空部とばっ気が行われない非ばっ気中空部を配置して接触材内部にばっ気流の上昇流部と下降流部を形成させて汚水の接触ばっ気処理をすることを特徴とする有機性排水の接触ばっ気処理方法である。
【００１１】
ここで、合一中空ブロック体は、それぞれの中空部の隔壁が通気通水性を有するのドラフト壁としての機能を発揮できる筒形接触材であり、散気孔の配列によってある中空部を形成し隣接する中空部は下降部を形成する。その隔壁の材質形状が通気通水性を有するへちま状中空体であるため、下降部の流水の一部は上昇部にドラフトされて循環し接触するようになることで、好ましい有機排水の接触ばっ気処理ができる方法となる。
【００１２】
そのための装置としては、繊維の絡まったへちま状中空体を縦に複数個配列させた形状の接触材を充填したばっ気槽であって、該ばっ気槽底部に水平に設けた空気を吐出させる複数個の散気孔を有する散気管を設け、前記接触材の中空部が複数の中空部を有する合一中空ブロック体であり、該合一中空ブロック体に空気を取り込むように散気孔が配置され、散気孔を有さない中空部を適所に設けて、ばっ気が行われる中空部とばっ気が行われない中空部を配置して接触材内部にばっ気流の上向流部と下降流部が形成された構造にしたことを特徴とする。
【００１３】
ここで、散気管に設けた空気を吐出させる複数個の散気孔は、上記の合一中空ブロック体の形状に応じた格子配列、千鳥配列またはランダム配列であり、該散気管の各散気孔から吐出する空気をそれぞれ取り込む位置が、前記合一中空ブロック体の複数の中空部に合致させて配置して接触ばっ気槽を形成する。合一中空ブロック体内の各中空体の平面形状は、基本的に円形、三角形、四角形、六角形あるいは八角形等が連なった網目状構造体である。
【００１４】
散気孔の配置を更に説明すると、各散気孔から吐出する空気をそれぞれ取り込む位置は、前記合一中空ブロック体の複数の中空部の任意の奇数番目又は偶数番目の各中空部の底面位置である。ばっ気槽の槽内部に設けた合一中空ブロック体底部の水平に設けた複数個の散気孔を有する散気管の各散気孔から空気を吐出させ、ドラフトチューブとしての垂直方向に区画された接触材に対して吐出する空気をそれぞれ取り込むようにし、かつ、水面下で空気を解放させるようにして接触ばっ気を行うことを特徴とする有機排水処理方法である。更に効果が上がるのは、円筒形接触材を繊維の絡まったへちま状中空体にすると、吐出空気泡がこのへちま状中空体内部で汚水と共に上昇接触するドラフトチューブのようになって、ばっ気が完全となるためである。
【発明の効果】
【００１５】
従来のドラフトチューブは、チューブ底部に設けた散気装置から吐出する気泡を多孔円筒の内部を上昇させると、気泡と一緒にチューブ底部から水を吸い込んで上部へ持ち上げることにより、多量の酸素を含んだ水を接触ばっ気槽全体に供給循環する機能を持っている。しかし、このドラフトチューブの役割は発生した旋回流が接触材の上部から下部へ排水を流下させるのみで、表面積の大きい骨格へちま状の接触材を使用してもランダム散気では、濾材内部の水流がほとんどないため、大きい表面積を有効に利用することができなかったが、上記接触材の中空部に空気を取り込むように選択的に散気孔を配置させるようにして形成される接触ばっ気槽とすることにより、効率良く有機性排水を処理することができた。
【００１６】
このように、ばっ気槽底部に水平に設けた格子配列又は千鳥配列に複数個の散気孔を有する散気管を設けると、底部に設けた散気装置に空気を供給してばっ気が行われ、各接触筒底部から空気と一緒に筒の内部の水が高速で上昇し、底部から廻りの水が吸い込まれて旋回流が発生すると同時に、接触筒外壁全面から内部に向かって弱い水流が発生し、骨格へちま状濾材の内部を通過する回流ルートが新たに生じるため、濾材表面の生物膜に排水が接触する機会は飛躍的に増大する。本発明で用いる筒形接触材の場合は、繊維の絡まったへちま状中空体であるので、槽の上部から下部までの間に無数の回流ルートを形成するため、同じ容積を持つ接触ばっ気槽に同様の充填率で接触材を充填して同じ空気量を供給した時に、単位容積あたりのＢＯＤ処理能力を大幅に向上させることができる。
【００１７】
本発明の特徴である、各散気孔から吐出する空気のそれぞれ取り込む位置を全ての筒形接触材に配置せずに、散気孔を有さない中空部を適所に設けて、ばっ気が行われる中空部とばっ気が行われない中空部を配置して接触材内部にばっ気流の上昇流部と下降流部を形成するようにしたことで、ばっ気の回流速度が増大し、その結果、同じ空気の供給量であっても、接触ばっ気法における単位容積あたりのＢＯＤ処理能力を更に増大させることができ、その結果、接触ばっ気浄化槽の容積を削減し、浄化槽の小型化を可能としたのである。更に、個々の筒形接触材を独立して配置するのではなく、合一中空ブロック体としてばっ気槽の容積に応じてばっ気槽内に立体網様ブロック型を設置するので、設置が迅速かつ容易となり、製作コストの低減も図れる。
【発明を実施するための最良の形態】
【００１８】
以下、図面によって本発明の有機性排水の接触ばっ気処理方法及び装置を更に具体的に説明する。図１は本発明の有機性排水の接触ばっ気処理方法を効果的に実施しうる装置としての浄化槽の平面図、図２は図１中Ａ−Ａ断面図である。図３は合一中空ブロック体からなる接触材の部分構造と汚水の流れを示す斜視図である。図４〜図１１は合一中空ブロック体構造のパターンを例示した平面図である。
【００１９】
本発明の有機性排水の接触ばっ気処理方法を円滑に行う処理装置としての浄化槽の例として図１及び図２に示す。この浄化槽は汚水が流入する夾雑物除去槽１と嫌気濾床槽２及び接触ばっ気槽３の順序で構成される浄化槽である。接触ばっ気槽３は槽底部に散気管４が配置され、その上部に本発明の特徴である円筒状の筒形中空体51の多数本が連結された合一中空ブロック体接触材５が設置されている。接触ばっ気槽３は底部が沈殿槽６と連通し、沈殿槽６から消毒槽７を経た後、浄化水の放流口８から槽外に放流される。
【００２０】
生活排水等の汚水の流れを更に詳細に説明する。汚水流入口11から夾雑物除去槽１に流入した後、浮上汚泥層を通過して中間に設けた移流口12から筒状の流路13を上昇して上方の移流出口14から嫌気濾床槽２へ流入する。移流口12の下方には、沈殿汚泥の浮上防止板15が設けられ、スカムに変化して沈降汚泥が上昇して移流口に流入するのを防ぐために設けられている。嫌気濾床槽２に設けた嫌気濾床21を通過した汚水は下方から上方へ設けた筒状の汚水流路22を上昇して移流口23から接触ばっ気槽３へ入る。
【００２１】
嫌気濾床槽２には、また、槽中間の嫌気濾床21の下方槽底に溜まった汚泥の汚泥返送管24を設けて、汚泥返送ポンプ25で嫌気濾床槽２から夾雑物除去槽１の上方へ汚泥を返送するようになっている。汚泥返送管24の途中へ接続した汚泥返送ポンプ25には送気管26から空気を送り込み、嫌気性処理され堆積した汚泥を空気とともに夾雑物除去槽１の上方から排出する。このようにすると、返送汚泥はしばらくの間浮上汚泥として、槽の上方に存在することになって、中間部は薄い中間汚泥水が保たれることになる。
【００２２】
接触ばっ気槽３の槽内には、本発明に係る合一中空ブロック体接触材５を配置し、嫌気濾床槽２から流入した汚水の好気性処理をするとともに、槽の一部を隔壁31で区切り沈殿槽６とする。沈殿槽６の下方は接触ばっ気槽３と連通させて、沈殿槽６から接触ばっ気槽３へ汚泥を返送するための沈殿槽底部の沈殿スロット32を設けている。この沈殿スロット32から好気処理後の浄化水が沈殿槽６へ移流する。浄化水は、その後、沈殿槽６から薬剤筒71を備えた消毒槽７を経た後、浄化水の放流口８から槽外に放流されるのは、従来と同様である。
【００２３】
この浄化槽には、接触ばっ気槽３から嫌気濾床槽２への汚泥返送手段がある。汚泥の返送は、好気性接触材として合一中空ブロック体接触材５の層を循環通過してきた汚水の散気管４からのばっ気回流を利用して返送するよう槽底の散気管４から上方の液面近傍にばっ気攪拌によって回流する余剰汚泥を、嫌気濾床槽２と接触ばっ気槽３の水位差を利用して返送するよう筒状の汚泥引出管33の上部に汚泥移流口34を設け、また、沈殿槽６から接触ばっ気槽３への汚泥返送手段を、沈殿槽底部の沈殿スロット32で返送するようにしたために汚泥移流口34から好気処理された汚水も、嫌気処理により嫌気分解させた後に再び回流して好気処理させることができ、効率よくＢＯＤの大きな汚水の消化が可能となる。
【００２４】
以上のように、図１、図２に示す隔壁31で隔離された沈殿槽６に溜まった汚泥は、沈殿スロット32から接触ばっ気槽３へ、接触材を通過することなく、接触ばっ気槽３の汚泥引出管33、嫌気濾床槽２の底部へ返送され、更に汚泥返送管24によって、空気泡と共に夾雑物除去槽１へ戻され、いったん浮遊スカムとして上層に蓄えられる。これらの返送により、嫌気性、好気性の両処理が繰り返されることによる効率よい固形分の消化がなされ、沈殿槽６に溜まる固形分が減少するだけでなく、夾雑物除去槽１に集積する沈殿汚泥が減量するのである。
【００２５】
本発明は以上のような浄化槽はもちろん、公知の一般接触ばっ気型浄化槽に対しても有効な接触材による有機性排水の接触ばっ気処理方法及び装置を提供するもので、接触ばっ気槽３の槽底部に水平に設けた複数個の散気孔を有する散気管４の各散気孔41から空気を吐出させ、接触材は、個々の筒形接触材を独立して配置するのではなく、合一中空ブロック体接触材５としてばっ気槽の容積に応じてばっ気槽内に設置するほぼ垂直に起立させた複数の円筒形中空体51に対して吐出する空気をそれぞれ取り込むようにし、かつ、水面下で空気を解放させるような円筒の長さにして接触ばっ気を行う。
【００２６】
ここで、図３、図４に示すように、この場合は円筒状の筒形中空体51の集合体である合一中空ブロック体接触材５は、その下方に散気孔41を有さない中空部を筒形中空体51の連結壁52で囲まれた形に設けて、ばっ気が行われるばっ気中空部53とばっ気が行われない非ばっ気中空部54を配置して合一中空ブロック体接触材５内部にばっ気流の上昇流部55と下降流部56を形成するようにしたことを特徴とする。図２左方の接触ばっ気槽３に合一中空ブロック体接触材５全体の流れ方向を示している。
【００２７】
合一中空ブロック体接触材５の形状としては、図４〜図１１にブロック体構造の各種パターンの例示を平面図で示している。各図において斜線部分がばっ気流の上昇流部55であり、白抜き部分が下降流部56である。図４は図１〜図３に示すものと同一のもので、下方に散気孔41を有さない中空部を円筒形中空体51の連結壁52で囲まれた形に設けて、ばっ気が行われるばっ気中空部53とばっ気が行われない非ばっ気中空部54を配置して接触材５内部にばっ気流の上昇流部55と下降流部56を格子状に形成している状態がパターン図によりよく分かる。
【００２８】
図５の例は、ばっ気流の上昇流部55が菱形筒状であるほかは図４と同一であるし、図６も上昇流部55が方形筒状であるほかは、図４と同一である。いずれも上昇流部55の中空部を連結壁52で接続することによる配列は、すべて格子状となっている。
【００２９】
図７は合一中空ブロック体接触材５を縦横に連続した連結壁で方形の区画を形成し、その区画に対して縦方向一列置きかつ横方向千鳥状にばっ気流の上昇流部55と下降流部56を格子状に形成したものである。図８は横連結壁52と左右斜め連結壁52とで三角区画を形成し横方向一つ置きかつ千鳥配列でばっ気流の上昇流部55と下降流部56を形成した例である。図９は、ハニカム状中空部を連結壁52で形成したものである。図10は図７と同じ格子状連結壁で、散気孔41の位置を上下左右方向共に二つ置きに設けた例である。これらはいずれも上昇流部55と下降流部56とが同一の中空形状であり、必要によりこれらを格子状、千鳥状あるいはランダムに配列することができる。図11は図７又は図10の変形であって、上昇流部55を四角とし下降流部56をそれよりやや大きい断面の角欠け八角形としたものである。
【００３０】
本発明では、骨格へちま状になるように材料と製法を選び、合一中空ブロック体接触材の成形体として用いるのである。接触材の大きさは、浄化槽の大きさで広範囲に変更されるが、通常、１辺が500〜1,500mmの立方体程度のもので用いられる。ばっ気中空部53の形状が図３及び図４に示すような円筒の場合、直径70〜200mm、好ましくは100〜150mm、筒内径50〜150mm、好ましくは70〜120mmの範囲が接触ばっ気槽容積30ｍ３程度の小型浄化槽には適している。以下、実施例によって、本発明を更に具体的に説明する。
【実施例】
【００３１】
実施例１
合一中空ブロック体接触材５としてポリプロピレン繊維製立体網様ブロック型Ｉが図３及び図４に示すような、下方に散気孔41を有さない中空部を円筒形中空体51の連結壁52で囲まれた形の円筒間接続型に設けて、ばっ気が行われるばっ気中空部53とばっ気が行われない非ばっ気中空部54を配置して接触材５内部にばっ気流の上昇流部55と下降流部56を格子状に形成した。ここで、上昇流部の円形の直径が８cm、上昇流部面積50cm2、下降流部面積は、上記の円形面積との比率が１：２にすると、下降流部の必要面積は100cm2となる。これから計算すると連結壁の幅は約２cm、開口部の面積は約105cm2となり、円筒中心間距離は約15.2cmとなる。このように設計すると、単位容量１m3当りの濾材の占める容量(Vr)は0.327m3/m3となり、濾材の汚泥捕捉量(Vo)は濾材の空隙率90％捕捉汚泥重量51g/Lとして計算するとVo=15009gとなる。従って、好気槽への接触材充填率が65％ならば、好気槽の容量は1.53m3となり、このような条件でも捕捉汚泥（生物膜）の濃度、即ち活性汚泥法のＭＬＳＳに相当する汚泥濃度は9810mg/Lとなる。結果を表１に示した。
【００３２】
実施例２
合一中空ブロック体接触材５に同じくポリプロピレン繊維製立体網様ブロック型IIとして図11に示すような、上昇流部55を四角形中空体とし下降流部56をそれよりやや大きい断面の角欠け八角形の閉空間中空体としたものを用いて実施した。ここで、上昇流部の正方形の１辺が８cm、上昇流部面積64cm2、下降流部面積は、上記の円形面積との比率が１：２にすると、下降流部の必要面積は128cm2となる。濾材の厚み２cmとしてこれから計算すると開口部の間隔は約11.8cmとなる。このように設計すると、単位容量１m3当りの濾材の占める容量(Vr)は0.31m3/m3となり、濾材の汚泥捕捉量(Vo)は濾材の空隙率90％捕捉汚泥重量51g/Lとして計算するとVo=14229gとなる。従って、好気槽への接触材充填率が65％ならば、好気槽の容量は1.53m3となり、このような条件でも捕捉汚泥（生物膜）の濃度、即ち活性汚泥法のＭＬＳＳに相当する汚泥濃度は9300mg/Lとなる。結果を表１に示した。
【００３３】
比較例
空隙率90％の骨格あみ状板を外形12cm、内径８cm、長さ１ｍに成形したものを円筒形接触材として使用し、水深1300mmの0.5ｍ３の水槽に16本を充填して各円筒形接触材の下部に散気孔１個を配置するように散気管を設けて接触ばっ気槽とした。単位容量１m3当りの濾材の占める容量は0.294m3/m3となり、濾材の汚泥捕捉量は濾材の空隙率90％捕捉汚泥重量51g/Lとして計算すると13495gとなる。従って、好気槽への接触材充填率が65％ならば、好気槽の容量は1.53m3となり、捕捉汚泥（生物膜）の濃度、即ち活性汚泥法のＭＬＳＳに相当する汚泥濃度は8820mg/Lとなった。結果を上記実施例１及び２とともに表１に示す。
【００３４】
【表１】
2008043918.tif 000003
【００３５】
表１の結果、本発明に係る合一中空ブロック体接触材としてのポリプロピレン繊維製立体網様ブロック型は、比較例に示した、個々のポリプロピレン繊維製骨格へちま状円筒形の接触材の複数本設置する方法と何ら遜色ないＢＯＤ処理性能を有することが判明した。
これは、とりもなおさず本発明の特徴である、接触材の中空体を複数の中空部を有する合一中空ブロック体に散気孔を有さない中空部を適所に設けて、ばっ気が行われるばっ気中空部とばっ気が行われない非ばっ気中空部を配置して接触材内部にばっ気流の上昇流部と下降流部を形成させて汚水の接触ばっ気処理をすることの結果による。
【００３６】
従来の浄化槽では、ばっ気の回流速度は、一般的には10cm／sec程度以上にすることは難しく、また、ばっ気槽内に確保される接触材の表面積を多くしても、接触ばっ気槽１ｍ３あたりの有機物除去能力を、ＢＯＤに換算して１日0.5kg以上にすることが困難であった。その点を改良するために、各散気孔から吐出する空気をそれぞれ取り込む位置を、図に示すように、垂直に起立させた複数本の円筒形接触材の各中空部の底面位置に合わせることで、ばっ気の回流速度が著しく増大させることができ、下方からのランダム散気に比べて接触ばっ気法における単位容積あたりのＢＯＤ処理能力を大きく向上させることができ、接触ばっ気浄化槽の容積を削減することを可能とした。
【図面の簡単な説明】
【００３７】
【図１】本発明の汚水浄化方法を効果的に実施しうる汚水浄化装置の平面図である。
【図２】図１中Ａ−Ａ断面図である。
【図３】合一中空ブロック体からなる接触材の部分構造と汚水の流れを示す斜視図である。
【図４】合一中空ブロック体構造のパターンを例示した平面図である。
【図５】合一中空ブロック体構造のパターンを例示した平面図である。
【図６】合一中空ブロック体構造のパターンを例示した平面図である。
【図７】合一中空ブロック体構造のパターンを例示した平面図である。
【図８】合一中空ブロック体構造のパターンを例示した平面図である。
【図９】合一中空ブロック体構造のパターンを例示した平面図である。
【図１０】合一中空ブロック体構造のパターンを例示した平面図である。
【図１１】合一中空ブロック体構造のパターンを例示した平面図である。
【符号の説明】
【００３８】
１  夾雑物除去槽
２  嫌気濾床槽
３  接触ばっ気槽
４  散気管
５  合一中空ブロック体接触材
６  沈殿槽
７  消毒槽
８  浄化水の放流口
11  汚水流入口
12  移流口
13  筒状の流路
14  移流出口
15  汚泥浮上防止板
21  嫌気濾床
22  汚水流路
23  移流口
24  汚泥返送管
25  汚泥返送ポンプ
26  送気管
31  隔壁
32  沈殿スロット
41  散気孔
51  筒形中空体
52  連結壁
53  ばっ気中空部
54  非ばっ気中空部
55  上昇流部
56  下降流部
【図１】
2008043918.tif 000004
【図２】
2008043918.tif 000005
【図３】
2008043918.tif 000006
【図４】
2008043918.tif 000007
【図５】
2008043918.tif 000008
【図６】
2008043918.tif 000009
【図７】
2008043918.tif 000010
【図８】
2008043918.tif 000011
【図９】
2008043918.tif 000012
【図１０】
2008043918.tif 000013
【図１１】
2008043918.tif 000014